(57)【要約】【課題】本発明で到逹しようとする目的は、被写体から送出される近距離通信信号に基づいて決定される焦点（Ｆｏｃｕｓ）値及びシャッター速度に従って被写体に対する撮影を処理する方式を通して自動焦点調節機能の性能を向上させることにある。【解決手段】本発明は、被写体から送出される近距離通信信号を用いて決定される焦点（Ｆｏｃｕｓ）値及びシャッター速度に従って被写体に対する撮影を処理する撮影装置及びその動作方法を提案する。【選択図】図２
2018107803.tif 000002
【特許請求の範囲】
【請求項１】
被写体の撮影にかかる演算を行うプロセッサ、及び
上記プロセッサを通して実行される少なくとも一つの命令が保存されたメモリ、を含み、
上記少なくとも一つの命令は、
上記被写体から設定周期ごとに送出される近距離通信信号を確認するようにする確認命令、
上記近距離通信信号から上記被写体の撮影のための撮影参照情報を獲得するようにする獲得命令、及び
上記撮影参照情報に基づいて決定される焦点（Ｆｏｃｕｓ）値及びシャッター速度に従って上記被写体に対する撮影を処理するようにする処理命令、を含むことを特徴とする撮影装置。
【請求項２】
上記撮影参照情報は、
上記近距離通信信号の受信信号強度から確認される上記被写体との距離、及び隣り合う周期間の上記受信信号強度差から確認される上記被写体の移動状態のうち少なくとも一つを含むことを特徴とする請求項１に記載の撮影装置。
【請求項３】
上記被写体の移動状態は、
隣り合う周期間の上記受信信号強度差が大きいほど早い移動速度と確認される上記被写体の移動速度を含むことを特徴とする請求項２に記載の撮影装置。
【請求項４】
上記少なくとも一つの命令は、
上記被写体に対する撮影が事前処理されるようにし、上記事前撮影時点の焦点値と、上記事前撮影時点の受信信号強度とをマッピングした撮影基準情報を生成するように生成命令をさらに含むことを特徴とする請求項２に記載の撮影装置。
【請求項５】
上記処理命令は、
上記撮影参照情報から確認される受信信号強度とマッピングされる特定焦点値を上記撮影基準情報から確認し、上記特定焦点値に従って上記被写体に対する撮影を処理するようにすることを特徴とする請求項４に記載の撮影装置。
【請求項６】
被写体から設定周期ごとに送出される近距離通信信号を確認する確認段階、
上記近距離通信信号から上記被写体の撮影のための撮影参照情報を獲得するようにする獲得段階、及び
上記撮影参照情報に基づいて決定される焦点（Ｆｏｃｕｓ）値及びシャッター速度に従って上記被写体に対する撮影を処理する処理段階、を含むことを特徴とする撮影装置の動作方法。
【請求項７】
上記撮影参照情報は、
上記近距離通信信号の受信信号強度から確認される上記被写体との距離、及び隣り合う周期間の上記受信信号強度差から確認される上記被写体の移動状態のうち少なくとも一つを含むことを特徴とする請求項６に記載の撮影装置の動作方法。
【請求項８】
上記被写体の移動状態は、
隣り合う周期間の上記受信信号強度差が大きいほど早い移動速度と確認される上記被写体の移動速度を含むことを特徴とする請求項７に記載の撮影装置の動作方法。
【請求項９】
上記方法は、
上記確認段階以前に、上記被写体に対する撮影を事前処理し、上記事前撮影時点の焦点値と、上記事前撮影時点の受信信号強度とをマッピングした撮影基準情報を生成する生成段階をさらに含むことを特徴とする請求項７に記載の撮影装置の動作方法。
【請求項１０】
上記処理段階は、
上記撮影参照情報から確認される受信信号強度とマッピングされる特定焦点値を上記撮影基準情報から確認し、上記特定焦点値に従って上記被写体に対する撮影を処理することを特徴とする請求項９に記載の撮影装置の動作方法。
【請求項１１】
請求項６〜１０のうちいずれか一項の各段階を実行させるように具現されてコンピュータ読み取り可能な記録媒体に保存されたコンピュータプログラム。
【請求項１２】
請求項６〜１０のうちいずれか一項の各段階を実行させるための命令語を含むコンピュータ読み取り可能な記録媒体。
【発明の詳細な説明】
【技術分野】
【０００１】
本発明は、被写体から送出される近距離通信信号に基づいて決定される焦点（Ｆｏｃｕｓ）値及びシャッター速度（Ｓｈｕｔｔｅｒ  ｓｐｅｅｄ）に従って被写体に対する撮影を処理するための方案に関する。
【背景技術】
【０００２】
デジタルカメラは、アナログ映像をデジタルに変換して使用することにより、既存のアナログ環境では具現しにくかった映像信号の安定化（Ｓｔａｂｉｌｉｚａｔｉｏｎ）、電子式ズーム（Ｅｌｅｃｔｒｏｎｉｃ  Ｚｏｏｍ）、自動調節機能が内蔵されており、回路の低電力化技術の発展によりデジタルカメラはますます小型化されている。
【０００３】
従って、最近のデジタルカメラは、独立した形態の製品として生産、販売される場合も多いが、携帯電話、ＰＤＡ、そしてノートパンコンなど移動端末機に内蔵される場合が大幅に増えた。
【０００４】
このように、移動端末機に搭載されたデジタルカメラで最も重要な部分を占めるカメラシステムは、入力された映像に対する最適の映像を獲得するための、自動焦点（ＡＦ：Ａｕｔｏｍａｔｉｃ  Ｆｏｃｕｓ）、自動露出（ＡＥ：Ａｕｔｏｍａｔｉｃ  Ｅｘｐｏｓｕｒｅ）、自動ホワイトバランス（ＡＷＢ：Ａｕｔｏｍａｔｉｃ  Ｗｈｉｔｅ  Ｂａｌａｎｃｅ）調節のような自動調節装置である。
【０００５】
ところで、自動焦点調節機能は映像の画質に直接的に影響を与える重要な機能である反面、移動端末機で具現されている自動焦点調節機能は独立した形態の製品として発売されているデジタルカメラでの自動焦点調節機能に比べてその性能が劣るのが現実である。
【０００６】
よって、本発明では移動端末機で具現されている自動焦点調節性能を向上させることができる方案を提案する。
【発明の概要】
【発明が解決しようとする課題】
【０００７】
本発明は上記の事情を勘案して創出されたものであり、本発明で到逹しようとする目的は、被写体から送出される近距離通信信号に基づいて決定される焦点（Ｆｏｃｕｓ）値及びシャッター速度に従って被写体に対する撮影を処理する方式を通して自動焦点調節機能の性能を向上させることにある。
【課題を解決するための手段】
【０００８】
上記目的を達成するための本発明の一実施例による撮影装置は、被写体の撮影にかかる演算を行うプロセッサ、及び、上記プロセッサを通して実行される少なくとも一つの命令が保存されたメモリ、を含み、上記少なくとも一つの命令は、上記被写体から設定周期ごとに送出される近距離通信信号を確認するようにする確認命令、上記近距離通信信号から上記被写体の撮影のための撮影参照情報を獲得するようにする獲得命令、及び、上記撮影参照情報に基づいて決定される焦点（Ｆｏｃｕｓ）値及びシャッター速度に従って上記被写体に対する撮影を処理するようにする処理命令、を含むことを特徴とする。
【０００９】
上記目的を達成するための本発明の一実施例による撮影装置の動作方法は、被写体から設定周期ごとに送出される近距離通信信号を確認する確認段階、上記近距離通信信号から上記被写体の撮影のための撮影参照情報を獲得するようにする獲得段階、及び、上記撮影参照情報に基づいて決定される焦点（Ｆｏｃｕｓ）値及びシャッター速度に従って上記被写体に対する撮影を処理する処理段階、を含むことを特徴とする。
【発明の効果】
【００１０】
よって、本発明の撮影装置及びその動作方法によれば、被写体から送出される近距離通信信号を用いて決定される焦点（Ｆｏｃｕｓ）値及びシャッター速度に従って被写体に対する撮影を処理することにより、自動焦点調節機能の性能を向上させることができる。
【図面の簡単な説明】
【００１１】
【図１】本発明の一実施例による被写体撮影システムの概略的な構成図である。
【図２】本発明の第１実施例による撮影装置の概略的な構成図である。
【図３】本発明の第１実施例による撮影装置を具現するためのハードウェアシステムの概略的な構成図である。
【図４】本発明の第１実施例による撮影装置での動作の流れを説明するためのフローチャートである。
【図５】本発明の第２実施例による撮影装置の概略的な構成図である。
【図６】本発明の第２実施例による撮影装置を具現するためのハードウェアシステムの概略的な構成図である。
【図７】本発明の第２実施例による撮影装置での動作の流れを説明するためのフローチャートである。
【発明を実施するための形態】
【００１２】
本明細書で使われている技術的用語は単に特定の実施例を説明するために用いられたもので、本明細書に開示されている技術の思想を限定しようとする意図ではないことを留意しなければならない。また、本明細書で使われている技術的用語は、本明細書で特別に他の意味として定義されていない限り、本明細書に開示されている技術の属する分野で通常の知識を有する者によって一般的に理解される意味として解釈されなければならず、過度に包括的な又は縮小した意味として解釈されてはならない。また、本明細書で使われている技術的な用語が本明細書に開示されている技術の思想を正確に表現できていない誤った技術的用語であるときは、当業者が正しく理解できる技術的用語に替えて理解されなければならない。また、本明細書で使われている一般的な用語は、事前に定義されているところ、または前後の文脈上によって解釈されなければならず、過度に縮小した意味として解釈されてはならない。
【００１３】
また、本明細書で使われている単数の表現は、文脈上明白に異なる意味をなさない限り、複数の表現を含む。本明細書で、“構成される”または“含む”などの用語は、明細書上に記載されている色々な構成要素、または色々な段階を必ず全て含むものと解釈されてはならず、そのうち一部の構成要素または一部の段階は含まれないこともあり、または追加の構成要素または段階を更に含み得るものと解釈されなければならない。
【００１４】
また、本明細書で使われている第１、第２などのように序数を含む用語は、多様な構成要素を説明するにあたって使われ得るが、上記構成要素は上記用語によって限定されてはならない。上記用語は一つの構成要素を他の構成要素から区別する目的でのみ使われる。例えば、本発明の権利範囲を逸脱しない範囲で、第１構成要素は第２構成要素と命名されることができ、同様に第２構成要素も第１構成要素と命名されることができる。
【００１５】
以下、添付図面を参照しながら本明細書に開示されている実施例を詳しく説明するが、図面符号にかかわらず同一または類似の構成要素は同一の参照番号を付与し、これに関して重複する説明は省略することにする。
【００１６】
また、本明細書に開示されている技術を説明するにあたって、関連する公知技術に関する具体的な説明が本明細書に開示されている技術の要旨を不明瞭にすると判断される場合、その詳細な説明を省略する。また、添付図面は本明細書に開示されている技術の思想を容易に理解できるようにするためのものであるだけで、添付図面によってその技術の思想が制限されることと解釈されてはならないことを留意しなければならない。
【００１７】
以下、添付図面を参照しながら本発明の一実施例に関して説明する。
【００１８】
図１は、本発明の一実施例による被写体撮影システムを示した図面である。
【００１９】
図１に示されているように、本発明の一実施例による被写体撮影システムは、被写体１００、及び被写体１００を撮影する撮影装置２００を含む構成を有することができる。
【００２０】
被写体１００は、撮影装置２００を通して撮影がなされる客体を称するもので、設定周期ごとに近距離通信信号を送出する。
【００２１】
ここで、近距離通信信号は、例えば、低電力ブルートゥース（登録商標）（ＢＬＥ、Ｂｌｕｅｔｏｏｔｈ（登録商標）  Ｌｏｗ  Ｅｎｅｒｇｙ）、及びＷｉ−Ｆｉなど近距離通信方式によって周期的に送出される信号を称する。
【００２２】
このような、被写体１００は、近距離通信信号を送出する装置を所持する人または物である得るが、この場合、上記装置は、例えば、スマートフォン（Ｓｍａｒｔ  Ｐｈｏｎｅ）、携帯端末機（Ｐｏｒｔａｂｌｅ  Ｔｅｒｍｉｎａｌ）、移動端末機（Ｍｏｂｉｌｅ  Ｔｅｒｍｉｎａｌ）、個人情報端末機（Ｐｅｒｓｏｎａｌ  Ｄｉｇｉｔａｌ  Ａｓｓｉｓｔａｎｔ：ＰＤＡ）、ＰＭＰ（Ｐｏｒｔａｂｌｅ  Ｍｕｌｔｉｍｅｄｉａ  Ｐｌａｙｅｒ）端末機、テレマティックス（Ｔｅｌｅｍａｔｉｃｓ）端末機、ナビゲーション（Ｎａｖｉｇａｔｉｏｎ）端末機、パソコン（Ｐｅｒｓｏｎａｌ  Ｃｏｍｐｕｔｅｒ）、ノートパソコン、スレートＰＣ（Ｓｌａｔｅ  ＰＣ）、タブレットＰＣ（Ｔａｂｌｅｔ  ＰＣ）、ウルトラブック（ｕｌｔｒａｂｏｏｋ）、ウェアラブルデバイス（Ｗｅａｒａｂｌｅ  Ｄｅｖｉｃｅ、例えば、スマートウォッチ（Ｓｍａｒｔｗａｔｃｈ）、スマートグラス（Ｓｍａｒｔ  Ｇｌａｓｓ）、ＨＭＤ（Ｈｅａｄ  Ｍｏｕｎｔｅｄ  Ｄｉｓｐｌａｙ）などを含む）、ワイブロ（Ｗｉｂｒｏ）端末機、及びフレキシブル端末機（Ｆｌｅｘｉｂｌｅ  Ｔｅｒｍｉｎａｌ）などが該当することができ、その反面、被写体１００が撮影される対象そのものである場合、被写体１００は通信機能をサポートするその如何なる形態でも具現可能である。
【００２３】
撮影装置２００は、デジタルカメラが搭載された移動端末機を称するもので、例えば、スマートフォン、タブレットＰＣ、及びＰＤＡなどが含まれることができ、これに制限されるものではなく、デジタルカメラ機能をサポートできる装置は全て含まれることができる。
【００２４】
一方、デジタルカメラは、アナログ映像をデジタルに変換して使用することにより、既存のアナログ環境では具現しにくかった映像信号の安定化（Ｓｔａｂｉｌｉｚａｔｉｏｎ）、電子式ズーム（Ｅｌｅｃｔｒｏｎｉｃ  Ｚｏｏｍ）、自動調節機能が内蔵されており、回路の低電力化技術の発展によってデジタルカメラはますます小型化されている。
【００２５】
よって、最近のデジタルカメラは、独立した形態の製品として生産、販売される場合も多いが、携帯電話、ＰＤＡ、そしてノートパンコンなど移動端末機に内蔵される場合が大幅に増えており、本発明の一実施例による撮影装置２００がまさにこのような場合に該当すると言える。
【００２６】
このように、撮影装置２００に搭載されたデジタルカメラでは、例えば、最適の映像を獲得するために自動焦点（ＡＦ：Ａｕｔｏｍａｔｉｃ  Ｆｏｃｕｓ）、自動露出（ＡＥ：Ａｕｔｏｍａｔｉｃ  Ｅｘｐｏｓｕｒｅ）、自動ホワイトバランス（ＡＷＢ：Ａｕｔｏｍａｔｉｃ  Ｗｈｉｔｅ  Ｂａｌａｎｃｅ）調節機能などをサポートすることができるが、そのうち自動焦点調節機能は映像の画質に直接的な影響を及ぼすことになる。
【００２７】
ところで、撮影装置２００でサポートする自動焦点調節機能の場合、デジタルカメラ以外に多目的具現のための多様なハードウェア及びソフトウェアが組み合わされるしかない移動端末機の特性により、独立した形態の製品として発売されるデジタルカメラでの自動焦点調節機能に比べて性能が劣るのが現実である。
【００２８】
よって、本発明の一実施例ではデジタルカメラ以外に多目的具現のための多様なハードウェア及びソフトウェアが組み合わされた撮影装置２００での自動焦点調節機能の性能を向上させるための新しい方案を提案しようとし、以下ではこれを実現するための撮影装置２００内の各構成についてより具体的に説明することにする。
【００２９】
図２は、本発明の第１実施例による撮影装置２００の概略的な構成を示している。
【００３０】
図２に示されているように、本発明の第１実施例による撮影装置２００は、近距離通信信号を確認する確認部２１０、撮影参照情報を獲得する獲得部２２０、及び撮影を処理する処理部２３０を含む構成を有する。
【００３１】
上記の確認部２１０、獲得部２２０、及び処理部２３０を含む本発明の第１実施例による撮影装置２００の構成の全体乃至は少なくとも一部は、プロセッサによって実行されるソフトウェアモジュール形態またはハードウェアモジュール形態で具現されるか、ソフトウェアモジュールとハードウェアモジュールとが組み合わされた形態でも具現されることができる。
【００３２】
ここで、ソフトウェアモジュールとは、例えば、撮影装置２００内で演算を行うプロセッサによって実行される命令語として理解されることができ、このような命令語は撮影装置２００内のメモリに保存された形態を有することができる。
【００３３】
一方、本発明の第１実施例による撮影装置２００は、上述の構成以外に、通信部２４０、及びカメラ２５０をさらに含むことができる。
【００３４】
参考として、このような通信部２４０、及びカメラ２５０の構成は、下の図３を参照して説明される通信部１３１０とカメラ１３２１の構成と各々対応するため、具体的な構成は以下で説明することにする。
【００３５】
結局、本発明の第１実施例による撮影装置２００は、確認部２１０、獲得部２２０、及び処理部２３０を含む核心構成を通して、被写体１００から送出される近距離通信信号を用いて被写体１００に対する撮影を処理することができるようになる。以下では、これを具現するための撮影装置２００内の各構成についてより具体的に説明することにする。
【００３６】
確認部２１０は、近距離通信信号を確認する機能を行う。
【００３７】
より具体的に、確認部２１０は、被写体１００から設定周期ごとに送出される近距離通信信号を確認する。
【００３８】
このとき、確認部２１０は、近距離通信信号に含まれている識別情報（例：ＵＵＩＤ）を確認する方式を通して一定領域内で受信される多数の近距離通信信号のうち被写体１００から送出される近距離通信信号を区分することができる。
【００３９】
獲得部２２０は、撮影参照情報を獲得する機能を行う。
【００４０】
より具体的に、獲得部２２０は、被写体１００から送出される近距離通信信号が確認されると、確認された近距離通信信号から被写体１００の撮影のための撮影参照情報を獲得する。
【００４１】
このように獲得される撮影参照情報には近距離通信信号の受信信号強度（ＲＳＳＩ、Ｒｅｃｅｉｖｅｄ  Ｓｉｇｎａｌ  Ｓｔｒｅｎｇｔｈ  Ｉｎｄｉｃａｔｉｏｎ）から確認される被写体１００との距離、そして隣り合う周期間の受信信号強度差から確認される被写体１００の移動状態が含まれることができる。
【００４２】
ここで、被写体の移動状態には被写体１００の移動速度が含まれることができる。
【００４３】
このような被写体１００の移動速度の場合、隣り合う周期間の受信信号強度差が大きいほど早い移動速度であることが確認できる。
【００４４】
参考として、隣り合う周期間の受信信号強度差は、近距離通信信号を受信する撮影装置２００から被写体１００が遠くなったり近くなったりする位置変化の程度を意味することになるため、このような位置変化程度は被写体１００の移動速度に換算できることが分かる。
【００４５】
処理部２３０は、被写体１００に対する撮影を処理する機能を行う。
【００４６】
より具体的に、処理部２３０は、近距離通信信号から被写体１００を撮影するための撮影参照情報が獲得されると、獲得された撮影参照情報に基づいて決定される焦点（Ｆｏｃｕｓ）値及びシャッター速度（Ｓｈｕｔｔｅｒ  Ｓｐｅｅｄ）に従ってカメラ２５０を駆動することにより被写体１００に対する撮影を処理する。
【００４７】
このとき、処理部２３０は、撮影参照情報内の被写体１００との距離を参照して被写体１００との距離に適したカメラの焦点（Ｆｏｃｕｓ）値を決定し、撮影参照情報内の被写体１００の移動状態として含まれる移動速度を考慮してカメラのシャッタースピードを決定することにより被写体１００に対する撮影を処理することができる。
【００４８】
以上説明した本発明の第１実施例による撮影装置２００内の各構成の場合、プロセッサによって実行されるソフトウェアモジュールまたはハードウェアモジュール形態で具現されるか、乃至はソフトウェアモジュールとハードウェアモジュールとが組み合わされた形態でも具現されることができ、これについては先に言及した。
【００４９】
このように、プロセッサによって実行されるソフトウェアモジュール、ハードウェアモジュール、乃至はソフトウェアモジュールとハードウェアモジュールとが組み合わされた形態は、ハードウェアシステム（例：コンピュータシステム）で具現されることができるであろう。
【００５０】
従って、以下では本発明の第１実施例による撮影装置２００を具現するためのハードウェアシステムに関して説明することにする。
【００５１】
参考として、以下で述べられる内容は、ハードウェアシステム内で先に説明した撮影装置２００内の各構成を具現した一例であり、各構成とそれによる動作が実際のシステムと相異し得ることは、念頭に置かなければならない。
【００５２】
図３は、本発明の第１実施例によるハードウェアシステム１０００の構造を示した図面である。
【００５３】
図３に示されているように、本発明の第１実施例によるハードウェアシステム１０００は、プロセッサ部１１００、メモリインターフェース部１２００、及び周辺装置インターフェース部１３００を含む構成を有することができる。
【００５４】
このような、ハードウェアシステム１０００内の各構成は、個別部品であるか一つ以上の集積回路に集積されることができ、このような各構成はバスシステム（図示せず）に結合されることができる。
【００５５】
ここで、バスシステムの場合、適切なブリッジ、アダプタ、及び／又は制御機によって連結された任意の一つ以上の個別的な物理バス、通信ライン／インターフェース、及び／又はマルチドロップ（ｍｕｌｔｉ−ｄｒｏｐ）又はポイントツーポイント（ｐｏｉｎｔ−ｔｏ−ｐｏｉｎｔ）連結を示す抽象化（ａｂｓｔｒａｃｔｉｏｎ）である。
【００５６】
プロセッサ部１１００は、ハードウェアシステムで多様な機能を行うためにメモリインターフェース部１２００を通してメモリ部１２１０と通信することにより、メモリ部１２１０に保存されている多様なソフトウェアモジュールを実行する役割をすることになる。
【００５７】
ここで、メモリ部１２１０には、図２を参照して説明した撮影装置２００内の各構成である確認部２１０、獲得部２２０、及び処理部２３０がソフトウェアモジュール形態で保存されることができ、その他にオペレーティングシステムが追加保存されることができる。
【００５８】
上記オペレーティングシステム（例：Ｉ−ＯＳ、Ａｎｄｒｏｉｄ、Ｄａｒｗｉｎ、ＲＴＸＣ、ＬＩＮＵＸ（登録商標）、ＵＮＩＸ（登録商標）、ＯＳ  Ｘ、ＷＩＮＤＯＷＳ（登録商標）、またはＶｘＷｏｒｋｓのようなエンベデッドオペレーティングシステム）の場合、一般的なシステム作業（例えば、メモリ管理、保存装置制御、電力管理など）を制御及び管理する多様な手続、命令語セット、ソフトウェアコンポーネント及び／又はドライバを含んでおり、多様なハードウェアモジュールとソフトウェアモジュールとの間の通信を容易にする役割をすることになる。
【００５９】
参考として、メモリ部１２１０は、キャッシュ、メインメモリ及び補助記憶装置（ｓｅｃｏｎｄａｒｙ  ｍｅｍｏｒｙ）を含むが、これに制限されないメモリ階層構造を含むことができ、上記メモリ階層構造の場合、例えばＲＡＭ（例：ＳＲＡＭ、ＤＲＡＭ、ＤＤＲＡＭ）、ＲＯＭ、ＦＬＡＳＨ、磁気及び／又は光保存装置［例：ディスクドライブ、磁気テープ、ＣＤ（ｃｏｍｐａｃｔ  ｄｉｓｋ）及びＤＶＤ（ｄｉｇｉｔａｌ  ｖｉｄｅｏ  ｄｉｓｃ）など］の任意の組み合わせを通して具現できる。
【００６０】
周辺装置インターフェース部１３００は、プロセッサ部１１００と周辺装置との間で通信を可能にする役割を行う。
【００６１】
上記周辺装置の場合、コンピュータシステムに相異する機能を提供するためのものであり、本発明の第１実施例では、例えば、通信部１３１０、及び入出力部１３２０が含まれることができる。
【００６２】
ここで、通信部１３１０は、他の装置との通信機能を提供する役割をすることになり、このために、例えば、アンテナシステム、ＲＦ送受信器、一つ以上の増幅器、チューナー、一つ以上の発振器、デジタル信号処理器、コーデック（ＣＯＤＥＣ）チップセット、及びメモリなどを含むが、これに制限されず、この機能を行う公知の回路を含むことができる。
【００６３】
このような、通信部１３１０がサポートする通信プロトコルとしては、例えば、無線ＬＡＮ（Ｗｉｒｅｌｅｓｓ  ＬＡＮ：ＷＬＡＮ）、ＤＬＮＡ（登録商標）（Ｄｉｇｉｔａｌ  Ｌｉｖｉｎｇ  Ｎｅｔｗｏｒｋ  Ａｌｌｉａｎｃｅ）、ワイブロ（Ｗｉｒｅｌｅｓｓ  Ｂｒｏａｄｂａｎｄ：Ｗｉｂｒｏ）、ワイマックス（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ：Ｗｉｍａｘ）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎ）、ＣＤＭＡ（Ｃｏｄｅ  Ｄｉｖｉｓｉｏｎ  Ｍｕｌｔｉ  Ａｃｃｅｓｓ）、ＣＤＭＡ２０００（Ｃｏｄｅ  Ｄｉｖｉｓｉｏｎ  Ｍｕｌｔｉ  Ａｃｃｅｓｓ  ２０００）、ＥＶ−ＤＯ（Ｅｎｈａｎｃｅｄ  Ｖｏｉｃｅ−Ｄａｔａ  Ｏｐｔｉｍｉｚｅｄ  ｏｒ  Ｅｎｈａｎｃｅｄ  Ｖｏｉｃｅ−Ｄａｔａ  Ｏｎｌｙ）、ＷＣＤＭＡ（登録商標）（Ｗｉｄｅｂａｎｄ  ＣＤＭＡ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＨＳＵＰＡ（Ｈｉｇｈ  Ｓｐｅｅｄ  Ｕｐｌｉｎｋ  Ｐａｃｋｅｔ  Ａｃｃｅｓｓ）、ＩＥＥＥ  ８０２．１６、ロングタームエボリューション（Ｌｏｎｇ  Ｔｅｒｍ  Ｅｖｏｌｕｔｉｏｎ：ＬＴＥ）、ＬＴＥ−Ａ（Ｌｏｎｇ  Ｔｅｒｍ  Ｅｖｏｌｕｔｉｏｎ−Ａｄｖａｎｃｅｄ）、広帯域無線移動通信サービス（Ｗｉｒｅｌｅｓｓ  Ｍｏｂｉｌｅ  Ｂｒｏａｄｂａｎｄ  Ｓｅｒｖｉｃｅ：ＷＭＢＳ）、ブルートゥース（登録商標）（Ｂｌｕｅｔｏｏｔｈ（登録商標））、ＲＦＩＤ（Ｒａｄｉｏ  Ｆｒｅｑｕｅｎｃｙ  Ｉｄｅｎｔｉｆｉｃａｔｉｏｎ）、赤外線通信（Ｉｎｆｒａｒｅｄ  Ｄａｔａ  Ａｓｓｏｃｉａｔｉｏｎ：ＩｒＤＡ）、ＵＷＢ（Ｕｌｔｒａ−Ｗｉｄｅｂａｎｄ）、ジグビー（登録商標）（ＺｉｇＢｅｅ（登録商標））、近距離無線通信（Ｎｅａｒ  Ｆｉｅｌｄ  Ｃｏｍｍｕｎｉｃａｔｉｏｎ：ＮＦＣ）、超音波通信（Ｕｌｔｒａ  Ｓｏｕｎｄ  Ｃｏｍｍｕｎｉｃａｔｉｏｎ：ＵＳＣ）、可視光通信（Ｖｉｓｉｂｌｅ  Ｌｉｇｈｔ  Ｃｏｍｍｕｎｉｃａｔｉｏｎ：ＶＬＣ）、Ｗｉ−Ｆｉ、Ｗｉ−Ｆｉダイレクト（Ｗｉ−Ｆｉ  Ｄｉｒｅｃｔ）  などが含まれることができる。また、有線通信網としては、有線ＬＡＮ（Ｌｏｃａｌ  Ａｒｅａ  Ｎｅｔｗｏｒｋ）、有線ＷＡＮ（Ｗｉｄｅ  Ａｒｅａ  Ｎｅｔｗｏｒｋ）、電力線通信（Ｐｏｗｅｒ  Ｌｉｎｅ  Ｃｏｍｍｕｎｉｃａｔｉｏｎ：ＰＬＣ）、ＵＳＢ通信、イーサネット（登録商標）（Ｅｔｈｅｒｎｅｔ（登録商標））、シリアル通信（ｓｅｒｉａｌ  ｃｏｍｍｕｎｉｃａｔｉｏｎ）、光／同軸ケーブルなどが含まれることができ、これに制限されるものではなく、他の装置との通信環境を提供することができるプロトコルは全て含まれることができる。
【００６４】
また、入出力部１３２０は、その他ハードウェアシステムと連動されるＩ／Ｏ装置を制御するためのコントローラの役割を行うことになるが、本発明の一実施例では被写体１００に対する実質的な撮影がなされるカメラ１３２１の制御を担当することができる。
【００６５】
結局、メモリ部１２１０にソフトウェアモジュール形態で保存されている撮影装置２００内の各構成は、プロセッサ部１１００によって実行される場合にメモリインターフェース部１１００と周辺装置インターフェース部１３００を媒介として通信部１３１０と入出力部１３２０との通信を行うことにより、被写体１００から送出される近距離通信信号を用いて被写体１００に対する撮影を処理することができる。
【００６６】
以下では、本発明の第１実施例による撮影装置２００を具現するためのハードウェアシステム１０００内の各構成についてより具体的に説明することにする。
【００６７】
説明の便宜のために、メモリ部１２１０にソフトウェアモジュール形態で保存されている撮影装置２００内の核心構成である確認部２１０、獲得部２２０、及び処理部２３０それぞれはプロセッサ部１１００によって実行された状態であることを前提とする。
【００６８】
確認部２１０は、近距離通信信号を確認する機能を行う。
【００６９】
より具体的に、確認部２１０は、被写体１００から設定周期ごとに送出され通信部１３１０を通して受信される近距離通信信号を確認し、確認結果を獲得部２２０に伝達する。
【００７０】
このとき、確認部２１０は、近距離通信信号に含まれている識別情報（例：ＵＵＩＤ）を確認する方式を通して一定領域内で受信される多数の近距離通信信号のうち被写体１００から送出される近距離通信信号を区分することができる。
【００７１】
獲得部２２０は、撮影参照情報を獲得する機能を行う。
【００７２】
より具体的に、獲得部２２０は、近距離通信信号に対する確認結果が確認部２１０から受信されると、確認された近距離通信信号から被写体１００の撮影のための撮影参照情報を獲得し、獲得結果を処理部２３０に伝達する。
【００７３】
このように獲得される撮影参照情報には近距離通信信号の受信信号強度（ＲＳＳＩ、Ｒｅｃｅｉｖｅｄ  Ｓｉｇｎａｌ  Ｓｔｒｅｎｇｔｈ  Ｉｎｄｉｃａｔｉｏｎ）から確認される被写体１００との距離、そして隣り合う周期間の受信信号強度差から確認される被写体１００の移動状態が含まれることができる。
【００７４】
ここで、被写体の移動状態には被写体１００の移動速度が含まれることができる。
【００７５】
このような被写体１００の移動速度の場合、隣り合う周期間の受信信号強度差が大きいほど早い移動速度であることが確認できる。
【００７６】
参考として、隣り合う周期間の受信信号強度差は、近距離通信信号を受信する撮影装置２００から被写体１００が遠くなったり近くなったりする位置変化の程度を意味することになるため、このような位置変化程度は被写体１００の移動速度に換算できることが分かる。
【００７７】
処理部２３０は、被写体１００に対する撮影を処理する機能を行う。
【００７８】
より具体的に、処理部２３０は、獲得部２２０から撮影参照情報が受信されると、該当撮影参照情報に基づいて決定される焦点（Ｆｏｃｕｓ）値及びシャッター速度（Ｓｈｕｔｔｅｒ  Ｓｐｅｅｄ）に従って入出力部１３２０を通してカメラ１３２１を駆動することにより被写体１００に対する撮影を処理する。
【００７９】
このとき、処理部２３０は、撮影参照情報内の被写体１００との距離を参照して被写体１００との距離に適したカメラの焦点（Ｆｏｃｕｓ）値を決定し、撮影参照情報内の被写体１００の移動状態として含まれる移動速度を考慮してカメラのシャッタースピードを決定することにより被写体１００に対する撮影を処理することができる。
【００８０】
以上で考察したように、本発明の第１実施例による被写体撮影システム内の各構成によれば、被写体１００から送出される近距離通信信号の受信信号強度（ＲＳＳＩ）を用いて決定される焦点（Ｆｏｃｕｓ）値及びシャッター速度に従って被写体に対する撮影を処理することにより、カメラでサポートされる自動焦点調節機能にのみ依存する既存方式よりも自動焦点調節機能の性能を向上できることが分かる。
【００８１】
以下では、図４を参照して本発明の第１実施例による撮影装置２００での動作の流れを説明することにする。
【００８２】
説明の便宜のために、上述の図１乃至図３に示されている構成については、該当参照番号を言及して説明する。
【００８３】
先ず、確認部２１０は、段階Ｓ１１及びＳ１２によって、被写体１００から設定周期ごとに送出される近距離通信信号を確認する。
【００８４】
このとき、確認部２１０は、近距離通信信号に含まれている識別情報（例：ＵＵＩＤ）を確認する方式を通して一定領域内で受信される多数の近距離通信信号のうち被写体１００から送出される近距離通信信号を区分することができる。
【００８５】
それから、獲得部２２０は、被写体１００から送出される近距離通信信号が確認されると、段階Ｓ１３によって、確認された近距離通信信号から被写体１００の撮影のための撮影参照情報を獲得する。
【００８６】
このように獲得される撮影参照情報には近距離通信信号の受信信号強度（ＲＳＳＩ、Ｒｅｃｅｉｖｅｄ  Ｓｉｇｎａｌ  Ｓｔｒｅｎｇｔｈ  Ｉｎｄｉｃａｔｉｏｎ）から確認される被写体１００との距離、そして隣り合う周期間の受信信号強度差から確認される被写体１００の移動状態が含まれることができる。
【００８７】
ここで、被写体の移動状態には被写体１００の移動速度が含まれることができる。
【００８８】
このような被写体１００の移動速度の場合、隣り合う周期間の受信信号強度差が大きいほど早い移動速度であることが確認できる。
【００８９】
参考として、隣り合う周期間の受信信号強度差は、近距離通信信号を受信する撮影装置２００から被写体１００が遠くなったり近くなったりする位置変化の程度を意味することになるため、このような位置変化程度は被写体１００の移動速度に換算できることが分かる。
【００９０】
以後、処理部２３０は、近距離通信信号から被写体１００を撮影するための撮影参照情報が獲得されると、段階Ｓ１４及びＳ１５によって、獲得された撮影参照情報に基づいて決定される焦点（Ｆｏｃｕｓ）値及びシャッター速度（Ｓｈｕｔｔｅｒ  Ｓｐｅｅｄ）に従ってカメラ２５０を駆動することにより被写体１００に対する撮影を処理する。
【００９１】
このとき、処理部２３０は、撮影参照情報内の被写体１００との距離を参照して被写体１００との距離に適したカメラの焦点（Ｆｏｃｕｓ）値を決定し、撮影参照情報内の被写体１００の移動状態として含まれる移動速度を考慮してカメラのシャッタースピードを決定することにより被写体１００に対する撮影を処理することができる。
【００９２】
以上で考察したように、本発明の第１実施例による撮影装置２００での動作の流れによれば、被写体１００から送出される近距離通信信号の受信信号強度（ＲＳＳＩ）を用いて決定される焦点（Ｆｏｃｕｓ）値及びシャッター速度に従って被写体に対する撮影を処理することにより、カメラでサポートされる自動焦点調節機能にのみ依存する既存方式よりも自動焦点調節機能の性能を向上できることが分かる。
【００９３】
以上、本発明の第１実施例による撮影装置２００及びハードウェアシステム１０００の構成及び動作の流れに関する説明を終え、以下では本発明の第２実施例に関する説明を引き続き行うことにする。
【００９４】
図５は、本発明の第２実施例による撮影装置２００の概略的な構成を示している。
【００９５】
図５に示されているように、本発明の第２実施例による撮影装置２００は、撮影基準情報を生成する生成部２１０、近距離通信信号を確認する確認部２２０、撮影参照情報を獲得する獲得部２３０、及び撮影を処理する処理部２４０を含む構成を有する。
【００９６】
以上の生成部２１０、確認部２２０、獲得部２３０、及び処理部２４０を含む本発明の第２実施例による撮影装置２００の構成の全体乃至は少なくとも一部は、プロセッサによって実行されるソフトウェアモジュール形態またはハードウェアモジュール形態で具現されるか、ソフトウェアモジュールとハードウェアモジュールとが組み合わされた形態でも具現されることができる。
【００９７】
ここで、ソフトウェアモジュールとは、例えば、撮影装置２００内で演算を行うプロセッサによって実行される命令語として理解されることができ、このような命令語は撮影装置２００内のメモリに保存された形態を有することができる。
【００９８】
一方、本発明の第２実施例による撮影装置２００は、上述の構成以外に、通信部２５０、及びカメラ２６０をさらに含むことができる。
【００９９】
参考として、このような通信部２５０、及びカメラ２６０の構成は、下の図６を参照して説明される通信部１３１０とカメラ１３２１の構成とそれぞれ対応するため、具体的な構成は以下で説明することにする。
【０１００】
結局、本発明の第２実施例による撮影装置２００は、生成部２１０、確認部２２０、獲得部２３０、及び処理部２４０を含む核心構成を通して、被写体１００から送出される近距離通信信号を用いて被写体１００に対する撮影を処理することができるようになる。以下では、これを具現するための撮影装置２００内の各構成についてより具体的に説明することにする。
【０１０１】
生成部２１０は、撮影基準情報を生成する機能を行う。
【０１０２】
より具体的に、生成部２１０は、被写体１００に対する実質的な撮影が処理される以前に、処理部２４０と連携して被写体１００との距離を調節して事前撮影が処理されるようにし、事前撮影時点の焦点値と、事前撮影時点の被写体１００から送出される受信信号強度とをマッピングした撮影基準情報を生成する。
【０１０３】
このような、事前撮影に関連して処理部２４０ではカメラを駆動して被写体１００に対する事前撮影を処理し、カメラそのものの自動焦点機能を通して決定される焦点値を獲得して生成部２１０に伝達する。
【０１０４】
確認部２２０は、近距離通信信号を確認する機能を行う。
【０１０５】
より具体的に、確認部２２０は、被写体１００から設定周期ごとに送出される近距離通信信号を確認する。
【０１０６】
このとき、確認部２２０は、近距離通信信号に含まれている識別情報（例：ＵＵＩＤ）を確認する方式を通して一定領域内で受信される多数の近距離通信信号のうち被写体１００から送出される近距離通信信号を区分することができる。
【０１０７】
獲得部２３０は、撮影参照情報を獲得する機能を行う。
【０１０８】
より具体的に、獲得部２３０は、被写体１００から送出される近距離通信信号が確認されると、確認された近距離通信信号から被写体１００の撮影のための撮影参照情報を獲得する。
【０１０９】
このように獲得される撮影参照情報には近距離通信信号の受信信号強度（ＲＳＳＩ、Ｒｅｃｅｉｖｅｄ  Ｓｉｇｎａｌ  Ｓｔｒｅｎｇｔｈ  Ｉｎｄｉｃａｔｉｏｎ）、そして隣り合う周期間の受信信号強度差から確認される被写体１００の移動状態が含まれることができる。
【０１１０】
ここで、被写体の移動状態には被写体１００の移動速度が含まれることができる。
【０１１１】
このような被写体１００の移動速度の場合、隣り合う周期間の受信信号強度差が大きいほど早い移動速度であることが確認できる。
【０１１２】
参考として、隣り合う周期間の受信信号強度差は、近距離通信信号を受信する撮影装置２００から被写体１００が遠くなったり近くなったりする位置変化の程度を意味することになるため、このような位置変化程度は被写体１００の移動速度に換算できることが分かる。
【０１１３】
処理部２４０は、被写体１００に対する撮影を処理する機能を行う。
【０１１４】
より具体的に、処理部２４０は、近距離通信信号から被写体１００を撮影するための撮影参照情報が獲得されると、獲得された撮影参照情報に基づいて決定される焦点（Ｆｏｃｕｓ）値及びシャッター速度（Ｓｈｕｔｔｅｒ  Ｓｐｅｅｄ）に従ってカメラを駆動することにより被写体１００に対する撮影を処理する。
【０１１５】
このとき、処理部２４０は、撮影参照情報から確認される受信信号強度とマッピングされる特定焦点値を撮影基準情報から確認し、確認された特定焦点値を被写体１００を撮影するための焦点値として決定し、撮影参照情報内の被写体１００の移動状態として含まれる移動速度を考慮してカメラのシャッタースピードを決定することにより被写体１００に対する撮影を処理することができる。
【０１１６】
以上説明した本発明の第２実施例による撮影装置２００内の各構成の場合、プロセッサによって実行されるソフトウェアモジュールまたはハードウェアモジュール形態で具現されるか、乃至はソフトウェアモジュールとハードウェアモジュールとが組み合わされた形態でも具現されることができ、これについては先に言及した。
【０１１７】
このように、プロセッサによって実行されるソフトウェアモジュール、ハードウェアモジュール、乃至はソフトウェアモジュールとハードウェアモジュールとが組み合わされた形態は、ハードウェアシステム（例：コンピュータシステム）で具現されることができるであろう。
【０１１８】
従って、以下では本発明の第２実施例による撮影装置２００を具現するためのハードウェアシステムに関して説明することにする。
【０１１９】
図６は、本発明の第２実施例によるハードウェアシステム１０００の構造を示した図面である。
【０１２０】
一方、図６に示されたハードウェアシステム１０００の構成のうち、先に図３を参照して説明したハードウェアシステム１０００内の構成と名称が一致する構成は互いに同一の構成と見なされることができ、以下ではこのような同一構成に関する具体的な例示や説明は省略することにする。
【０１２１】
図６に示されているように、本発明の第２実施例によるハードウェアシステム１０００は、プロセッサ部１１００、メモリインターフェース部１２００、及び周辺装置インターフェース部１３００を含む構成を有することができる。
【０１２２】
プロセッサ部１１００は、ハードウェアシステムで多様な機能を行うためにメモリインターフェース部１２００を通してメモリ部１２１０と通信することにより、メモリ部１２１０に保存されている多様なソフトウェアモジュールを実行する役割をすることになる。
【０１２３】
ここで、メモリ部１２１０には、図５を参照して説明した撮影装置２００内の核心構成である生成部２１０、確認部２２０、獲得部２３０、及び処理部２４０がソフトウェアモジュール形態で保存されることができ、その他にオペレーティングシステムが追加保存されることができる。
【０１２４】
周辺装置インターフェース部１３００は、プロセッサ部１１００と周辺装置との間で通信を可能にする役割をする。
【０１２５】
上記周辺装置の場合、コンピュータシステムに相異する機能を提供するためのものであり、本発明の第２実施例では、例えば、通信部１３１０、入出力部１３２０が含まれることができる。
【０１２６】
ここで、入出力部１３２０は、その他ハードウェアシステムと連動されるＩ／Ｏ装置を制御するためのコントローラの役割を行うことになるが、本発明の第２実施例では被写体１００に対する実質的な撮影がなされるカメラ１３２１の制御を担当することができる。
【０１２７】
結局、メモリ部１２１０にソフトウェアモジュール形態で保存されている撮影装置２００内の各構成は、プロセッサ部１１００によって実行される場合にメモリインターフェース部１１００と周辺装置インターフェース部１３００を媒介として通信部１３１０と入出力部１３２０との通信を行うことにより、被写体１００から送出される近距離通信信号を用いて被写体１００に対する撮影を処理することができるのである。
【０１２８】
以下では、撮影装置２００を具現するためのハードウェアシステム１０００内の各構成についてより具体的に説明することにする。
【０１２９】
説明の便宜のために、メモリ部１２１０にソフトウェアモジュール形態で保存されている撮影装置２００内の各構成である生成部２１０、確認部２２０、獲得部２３０、及び処理部２４０は、プロセッサ部１１００によって実行された状態であることを前提とする。
【０１３０】
生成部２１０は、撮影基準情報を生成する機能を行う。
【０１３１】
より具体的に、生成部２１０は、被写体１００に対する実質的な撮影が処理される以前に、処理部２４０と連携して被写体１００との距離を調節して事前撮影が処理されるようにし、事前撮影時点の焦点値と、事前撮影時点に確認部２２０から確認される被写体１００から送出される受信信号強度とをマッピングした撮影基準情報を生成し、生成結果を処理部２４０に伝達する。
【０１３２】
このような、事前撮影に関連して処理部２４０では入出力部１３２０を通してカメラ１３２１を駆動することにより被写体１００に対する事前撮影を処理し、カメラ１３２１でそのものの自動焦点機能を通して決定される焦点値を獲得して生成部２１０に伝達する。
【０１３３】
確認部２２０は、近距離通信信号を確認する機能を行う。
【０１３４】
より具体的に、確認部２２０は、被写体１００から設定周期ごとに送出され通信部１３１０を通して受信される近距離通信信号を確認し、確認結果を獲得部２３０に伝達する。
【０１３５】
このとき、確認部２２０は、近距離通信信号に含まれている識別情報（例：ＵＵＩＤ）を確認する方式を通して一定領域内で受信される多数の近距離通信信号のうち被写体１００から送出される近距離通信信号を区分することができる。
【０１３６】
獲得部２３０は、撮影参照情報を獲得する機能を行う。
【０１３７】
より具体的に、獲得部２３０は、近距離通信信号に対する確認結果が確認部２２０から受信されると、確認された近距離通信信号から被写体１００の撮影のための撮影参照情報を獲得し、獲得結果を処理部２４０に伝達する。
【０１３８】
このように獲得される撮影参照情報には近距離通信信号の受信信号強度（ＲＳＳＩ、Ｒｅｃｅｉｖｅｄ  Ｓｉｇｎａｌ  Ｓｔｒｅｎｇｔｈ  Ｉｎｄｉｃａｔｉｏｎ）から確認される被写体１００との距離、そして隣り合う周期間の受信信号強度差から確認される被写体１００の移動状態が含まれることができる。
【０１３９】
ここで、被写体の移動状態には被写体１００の移動速度が含まれることができる。
【０１４０】
このような被写体１００の移動速度の場合、隣り合う周期間の受信信号強度差が大きいほど早い移動速度であることが確認できる。
【０１４１】
処理部２４０は、被写体１００に対する撮影を処理する機能を行う。
【０１４２】
より具体的に、処理部２４０は、獲得部２３０から撮影参照情報が受信されると、該当撮影参照情報に基づいて決定される焦点（Ｆｏｃｕｓ）値及びシャッター速度（Ｓｈｕｔｔｅｒ  Ｓｐｅｅｄ）に従って入出力部１３２０を通してカメラ１３２１を駆動することにより被写体１００に対する撮影を処理する。
【０１４３】
このとき、処理部２４０は、撮影参照情報から確認される受信信号強度とマッピングされる特定焦点値を撮影基準情報から確認し、確認された特定焦点値を被写体１００を撮影するための焦点値として決定し、撮影参照情報内の被写体１００の移動状態として含まれる移動速度を考慮してカメラのシャッタースピードを決定することにより被写体１００に対する撮影を処理することができる。
【０１４４】
以上、考察したように、本発明の第２実施例による撮影装置２００及びハードウェアシステム１０００の構成によれば、被写体１００から送出される近距離通信信号の受信信号強度（ＲＳＳＩ）に基づいた撮影基準情報と撮影参照情報を活用して決定される焦点（Ｆｏｃｕｓ）値と、そして被写体１００の移動速度を考慮して決定されるシャッター速度に従って被写体に対する撮影を処理することにより、カメラでサポートされる自動焦点調節機能にだけ依存する既存方式よりも自動焦点調節機能の性能を向上できることが分かる。
【０１４５】
以下では、図７を参照して本発明の第２実施例による撮影装置２００での動作の流れを説明することにする。
【０１４６】
先ず、生成部２１０は、被写体１００に対する実質的な撮影が処理される以前の事前処理過程として、段階Ｓ２１及びＳ２２によって、処理部２４０と連携して被写体１００との距離を調節して事前撮影が処理されるようにし、事前撮影時点の焦点値と、事前撮影時点の被写体１００から送出される受信信号強度とをマッピングした撮影基準情報を生成する。
【０１４７】
このような、事前撮影に関連して処理部２４０ではカメラを駆動して被写体１００に対する事前撮影を処理し、カメラそのものの自動焦点機能を通して決定される焦点値を獲得して生成部２１０に伝達する。
【０１４８】
次いで、確認部２２０は、段階Ｓ２３及びＳ２４によって、被写体１００から設定周期ごとに送出される近距離通信信号を確認する。
【０１４９】
このとき、確認部２２０は、近距離通信信号に含まれている識別情報（例：ＵＵＩＤ）を確認する方式を通して一定領域内で受信される多数の近距離通信信号のうち被写体１００から送出される近距離通信信号を区分することができる。
【０１５０】
それから、獲得部２３０は、被写体１００から送出される近距離通信信号が確認されると、段階Ｓ２５によって、確認された近距離通信信号から被写体１００の撮影のための撮影参照情報を獲得する。
【０１５１】
このように獲得される撮影参照情報には近距離通信信号の受信信号強度（ＲＳＳＩ、Ｒｅｃｅｉｖｅｄ  Ｓｉｇｎａｌ  Ｓｔｒｅｎｇｔｈ  Ｉｎｄｉｃａｔｉｏｎ）と、そして隣り合う周期間の受信信号強度差から確認される被写体１００の移動状態が含まれることができる。
【０１５２】
ここで、被写体の移動状態には被写体１００の移動速度が含まれることができる。
【０１５３】
このような被写体１００の移動速度の場合、隣り合う周期間の受信信号強度差が大きいほど早い移動速度であることが確認できる。
【０１５４】
参考として、隣り合う周期間の受信信号強度差は、近距離通信信号を受信する撮影装置２００から被写体１００が遠くなったり近くなったりする位置変化の程度を意味することになるため、このような位置変化程度は被写体１００の移動速度に換算できることが分かる。
【０１５５】
以後、処理部２４０は、近距離通信信号から被写体１００を撮影するための撮影参照情報が獲得されると、段階Ｓ２６及びＳ２７によって、該当撮影参照情報に基づいて決定される焦点（Ｆｏｃｕｓ）値及びシャッター速度（Ｓｈｕｔｔｅｒ  Ｓｐｅｅｄ）に従ってカメラ２６０を駆動することにより被写体１００に対する撮影を処理する。
【０１５６】
このとき、処理部２４０は、撮影参照情報から確認される受信信号強度とマッピングされる特定焦点値を撮影基準情報から確認し、確認された特定焦点値を被写体１００を撮影するための焦点値として決定し、撮影参照情報内の被写体１００の移動状態として含まれる移動速度を考慮してカメラのシャッタースピードを決定することにより被写体１００に対する撮影を処理することができる。
【０１５７】
以上、考察したように、本発明の第２実施例による撮影装置２００での動作の流れによれば、被写体１００から送出される近距離通信信号の受信信号強度（ＲＳＳＩ）に基づいた撮影基準情報と撮影参照情報を活用して決定される焦点（Ｆｏｃｕｓ）値と、そして被写体１００の移動速度を考慮して決定されるシャッター速度に従って被写体に対する撮影を処理することにより、カメラでサポートされる自動焦点調節機能にだけ依存する既存方式よりも自動焦点調節機能の性能を向上できることが分かる。
【０１５８】
一方、本明細書で説明する機能的な動作と主題の具現物は、デジタル電子回路で具現されるか、本明細書で開示する構造及びその構造的な等価物を含むコンピュータソフトウェア、ファームウェアあるいはハードウェアで具現されるか、これらのうち一つ以上の結合で具現されることができる。本明細書で説明する主題の具現物は、一つ以上のコンピュータプログラム製品、すなわち、処理システムの動作を制御するために或いはこれによる実行のために有形のプログラム保存媒体上にエンコードされたコンピュータプログラム命令に関する一つ以上のモジュールとして具現されることができる。
【０１５９】
コンピュータで読み取り可能な媒体は、機械で読み取り可能な保存装置、機械で読み取り可能な保存基板、メモリ装置、機械で読み取り可能な電波型信号に影響を及ぼす物質の組成物或いはこれらのうち一つ以上の組み合わせであり得る。
【０１６０】
本明細書で“システム”や“装置”とは、例えばプログラマブルプロセッサ、コンピュータあるいは多重プロセッサやコンピュータを含んでデータを処理するためのあらゆる機構、装置及び機械を包括する。処理システムは、ハードウェアに付け加えて、例えばプロセッサファームウェアを構成するコード、プロトコルスタック、データベース管理システム、オペレーティングシステムあるいはこれらのうち一つ以上の組み合わせなど、要請時コンピュータプログラムに対する実行環境を形成するコードを含むことができる。
【０１６１】
コンピュータプログラム（プログラム、ソフトウェア、ソフトウェアアプリケーション、スクリプトあるいはコードとしても知られている）は、コンパイルまたは解釈された言語やアプリオリあるいは手続き型言語を含むプログラミング言語の如何なる形態でも作成されることができ、独立型プログラムやモジュール、コンポーネント、サブルーティンあるいはコンピュータ環境での使用に適した他のユニットを含み如何なる形態でも展開されることができる。コンピュータプログラムは、ファイルシステムのファイルに必ずしも対応するものではない。プログラムは、要請されたプログラムに提供される単一ファイル内に、あるいは多重の相互作用するファイル（例えば、一つ以上のモジュール、下位プログラムあるいはコードの一部を保存するファイル）内に、あるいは他のプログラムやデータを保有するファイルの一部（例えば、マークアップ言語文書内に保存される一つ以上のスクリプト）内に保存されることができる。コンピュータプログラムは、一つのサイトに位置するか複数のサイトにわたり分散して通信ネットワークにより相互接続された多重コンピュータや一つのコンピュータ上で実行されるように展開されることができる。
【０１６２】
一方、コンピュータプログラム命令語とデータの保存に適したコンピュータで読み取り可能な媒体は、例えば、ＥＰＲＯＭ、ＥＥＰＲＯＭ及びフラッシュメモリ装置のような半導体メモリ装置、例えば、内部ハードディスクや外付型ディスクのような磁気ディスク、磁気光学ディスク及びＣＤ−ＲＯＭとＤＶＤ−ＲＯＭディスクを含みあらゆる形態の非揮発性メモリ、媒体及びメモリ装置を含むことができる。プロセッサとメモリは、特殊目的の論理回路によって補充されるか、それに統合されることができる。
【０１６３】
本明細書で説明した主題の具現物は、例えばデータサーバーのようなバックエンドコンポーネントを含むか、例えばアプリケーションサーバーのようなミドルウェアコンポーネントを含むか、例えばユーザーが本明細書で説明した主題の具現物と相互作用可能なウェブブラウザやグラフィックユーザーインターフェースを有するクライアントコンピュータのようなフロントエンドコンポーネントあるいはそのようなバックエンド、ミドルウェアあるいはフロントエンドコンポーネントの一つ以上のあらゆる組み合わせを含む演算システムで具現されることもできる。システムのコンポーネントは、例えば通信ネットワークのようなデジタルデータ通信の如何なる形態や媒体によっても相互接続可能である。
【０１６４】
本明細書は多数の特定の具現物の詳細事項を含むが、これらは如何なる発明や請求可能なものの範囲に対しても制限的なものとして理解されてはならず、むしろ特定の発明の特定の実施形態の特有の特徴に関する説明として理解されなければならない。同様に、個別的な実施形態の文脈で本明細書に記述されている特定の特徴は、単一実施形態で組み合わせて具現されることもできる。反対に、単一実施形態の文脈で記述した多様な特徴も個別的にあるいは如何なる適切な下位組み合わせでも複数の実施形態で具現可能である。さらに、特徴が特定の組み合わせで動作できるが、一つ以上の特徴は一部の場合にその組み合わせから排除されることができ、その請求された組み合わせは下位組み合わせや下位組み合わせの変形物に変更されることができる。
【０１６５】
また、本明細書では特定の手順で図面に動作を描写しているが、これは、望ましい結果を得るために図示されたその特定の手順や順序通りにそのような動作を行うべきであるとか、全ての図示された動作が行われなければならないと理解されてはならない。特定の場合、マルチタスキングと並列プロセッシングが有利であり得る。また、上述の実施形態の多様なシステムコンポーネントの分離は、かかる分離をあらゆる実施形態で要求することと理解されてはならず、説明したプログラムコンポーネントとシステムは一般的に単一のソフトウェア製品として共に統合されるか多重ソフトウェア製品にパッケージされることができるという点を理解しなければならない。
【０１６６】
このように、本明細書は、その提示された具体的な用語に本発明を制限しようとする意図ではない。従って、上述の例を参照して本発明を詳しく説明したが、当業者であれば本発明の範囲を逸脱しない範囲で本例に対する改造、変更及び変形を加えることができる。本発明の範囲は、上記詳細な説明よりは後述の特許請求の範囲によって示され、特許請求の範囲の意味及び範囲そしてその等価概念から導き出される全ての変更または変形された形態が本発明の範囲に含まれることと解釈されなければならない。
【図１】
2018107803.tif 000003
【図２】
2018107803.tif 000004
【図３】
2018107803.tif 000005
【図４】
2018107803.tif 000006
【図５】
2018107803.tif 000007
【図６】
2018107803.tif 000008
【図７】
2018107803.tif 000009